(57)【特許請求の範囲】
【請求項１】
フレキシブルガス管が接続されたガスメータを支持するためのガスメータ用支持器具であって、
上流側接続管および下流側接続管を取り付ける取付板を固定可能なパイプ状の支柱と、
中央部に貫通孔を有し、一方主面上に前記支柱の一方端部を密着させると嵌合するツメ部が形成されていて、設置面に他方主面が接するように配置する基板と、
内部の内側に雌ネジが形成されている、前記設置面に埋め込んで用いる円筒状のアンカーと、
前記アンカーにおける前記雌ネジと一方端部が螺合可能な雄ネジを備え、前記支柱よりも長手方向に長く、前記基板における前記貫通孔を貫通させて前記支柱の内部に配置して用いる全ネジと、
前記全ネジと螺合して、前記基板を前記設置面へ押し付けて固定する第１ナットと、
前記全ネジと螺合し、前記取付板および／または板状金具を介して、前記支柱を前記設置面へ押し付けて固定する第２ナットと、
を有するガスメータ用支持器具。
【請求項２】
前記支柱が角パイプである、請求項１に記載のガスメータ用支持器具。
【請求項３】
フレキシブルガス管が接続されたガスメータを支持するためのガスメータ用支持器具の設置方法であって、
内部の内側に雌ネジが形成されている円筒状のアンカーを、設置面に埋め込むアンカー埋設工程と、
全ネジにおける一方端部の雄ネジを、前記アンカーにおける前記雌ネジと螺合させて固定する全ネジ固定工程と、
前記全ネジが基板の中央部に形成されている貫通孔を貫通した状態で第１ナットを螺合して、前記基板における他方主面を前記設置面へ押し付けて固定する第１ナット螺合工程と、
前記全ネジが内部に存在し、かつ、前記基板における一方主面上に形成されているツメ部に一方端部を密着させてパイプ状の支柱を嵌合させる支柱設置工程と、
板状金具および／または上流側接続管および下流側接続管を取り付ける取付板を介して、前記全ネジと第２ナットを螺合して、前記支柱を前記設置面へ押し付けて固定する第２ナット螺合工程と、
を備えるガスメータ用支持器具の設置方法。
【発明の詳細な説明】
【技術分野】
【０００１】
本発明はガスメータ用支持器具およびその設置方法に関する。
【背景技術】
【０００２】
ガスメータにフレキシブルガス管を接続する場合、フレキシブルガス管は柔軟性を備えるので配管を容易に行うことができるが、一方で、フレキシブルガス管ではガスメータを支持することができないため、ガスメータを支持するための支持装置が必要となる。
【０００３】
このようなガスメータの支持装置として、従来、いくつかの提案がなされている。
【０００４】
例えば特許文献１には、枠体内に下部を挿入した支持ポールを前記枠体内にコンクリートなどの固化材を打設して固定部材として地中に埋設してガスメータを自立させるガスメータの支持構造において、横断面を円形以外の形状に設定された枠体と、前記枠体内に挿入される支持ポールの下部で横方向に貫通形成された貫通孔と、該貫通孔に挿入されて両端が枠内の対向する内壁面に略隙間無く接する長さに設定されて前記支持ポールの回転を防止する杆状部材と、前記支持ポールを杆状部材の長さ方向の所望の位置に調整可能に摺動し、支持ポールを所望位置にて杆状部材の両側から挟圧して拘束する拘束部材とからなって、支持ポールの位置と枠体との位置を相対的に調整可能としており、上記枠体内に固化材を打設して支持ポールを枠体に固定してなることを特徴とするガスメータの支持構造が記載されている。そして、このようなガスメータの支持構造によれば、ガスメータを支持する支持ポールの位置と、支持ポールを固定する固定部材の枠体との位置を相対的に調整可能とすることで、障害物があっても枠体の位置をずらすことで、支持ポールを最適位置に配置して固定することができ、その結果、簡単な施工でガスメータを所望の位置に配置することができるので、美観の向上や検針効率の向上を図ることができると記載されている。
【０００５】
例えば特許文献２には、長手方向を上下方向に向けた固定筒部を有する固定部材と、下端部が上記固定筒部に挿入されることによって立設された支柱と、この支柱の上端部に設けられた支持部材とを備え、上記支持部材にガスメータが取り付けられるガスメータの支持装置において、上記固定筒部の上端部に、上下方向に延びる複数のスリットが上記固定筒部の周方向へ互いに離して形成されることにより、上記固定筒部の上端部が拡縮径可能とされ、上記支柱に雌ねじ部材が上下方向へ移動可能に、かつ回動可能に外挿されるとともに、この雌ねじ部材が上記固定筒部の上端部に螺合され、上記固定筒部と上記雌ねじ部材との間には、上記雌ねじ部材の上記固定筒部へのねじ込み伴って上記固定筒部の上記スリットが形成された上端部を縮径させて、上記固定筒部の内周面を上記支柱の外周面に環状に押し付け、それによって上記支柱を上記固定筒部に固定する固定機構が設けられていることを特徴とするガスメータの支持装置が記載されている。そして、このような支持装置によれば、固定筒部による支柱に対する固定強度を向上させることができるので、支柱が鉛直方向に対して傾くことを防止することができると記載されている。
【先行技術文献】
【特許文献】
【０００６】
【特許文献１】特開２００８−２０９１６５号公報
【特許文献２】特開２０１２−１０３０６６号公報
【発明の概要】
【発明が解決しようとする課題】
【０００７】
例えばマンションやアパートの場合、ガスメータの設置スペースは限定されており、極めて狭いスペース内に、これを設置する必要がある。
このように極めて狭いスペース内に、フレキシブルガス管を接続したガスメータを設置するときに、ガスメータを支持するための支持装置が大きすぎて設置し難い場合がある。具体的には、例えば、床に支柱を固定するスペースがなかったり、そのスペースがあったとしても、支柱を配置するスペースがなかったりして、結局、床から支柱を設置できない場合がある。
【０００８】
本発明は、上記のような課題を解決することを目的とする。すなわち、本発明は、マンションやアパートの場合のような極めて狭いスペース内に、フレキシブルガス管を接続したガスメータを設置するときであっても、ガスメータを適切に支持することができる、コンパクトな支持器具を提供することを目的とする。また、その支持器具の設置方法を提供することを目的とする。
【課題を解決するための手段】
【０００９】
本発明者らは、上記課題を解決するために鋭意検討し、本発明を完成させた。
本発明は以下の（１）〜（３）である。
（１）フレキシブルガス管が接続されたガスメータを支持するためのガスメータ用支持器具であって、
上流側接続管および下流側接続管を取り付ける取付板を固定可能なパイプ状の支柱と、
中央部に貫通孔を有し、一方主面上に前記支柱の一方端部を密着させると嵌合するツメ部が形成されていて、設置面に他方主面が接するように配置する基板と、
内部の内側に雌ネジが形成されている、前記設置面に埋め込んで用いる円筒状のアンカーと、
前記アンカーにおける前記雌ネジと一方端部が螺合可能な雄ネジを備え、前記支柱よりも長手方向に長く、前記基板における前記貫通孔を貫通させて前記支柱の内部に配置して用いる全ネジと、
前記全ネジと螺合して、前記基板を前記設置面へ押し付けて固定する第１ナットと、
前記全ネジと螺合し、前記取付板および／または板状金具を介して、前記支柱を前記設置面へ押し付けて固定する第２ナットと、
を有するガスメータ用支持器具。
（２）前記支柱が角パイプである、上記（１）に記載のガスメータ用支持器具。
（３）フレキシブルガス管が接続されたガスメータを支持するためのガスメータ用支持器具の設置方法であって、
内部の内側に雌ネジが形成されている円筒状のアンカーを、設置面に埋め込むアンカー埋設工程と、
一方端部の雄ネジを、前記アンカーにおける前記雌ネジと螺合させて固定する全ネジ固定工程と、
前記全ネジが基板の中央部に形成されている貫通孔を貫通した状態で第１ナットを螺合して、前記基板における他方主面を前記設置面へ押し付けて固定する第１ナット螺合工程と、
前記全ネジが内部に存在し、かつ、前記基板における一方主面上に形成されているツメ部に一方端部を密着させてパイプ状の支柱を嵌合させる支柱設置工程と、
板状金具および／または上流側接続管および下流側接続管を取り付ける取付板を介して、前記全ネジと第２ナットを螺合して、前記支柱を前記設置面へ押し付けて固定する第２ナット螺合工程と、
を備えるガスメータ用支持器具の設置方法。
【発明の効果】
【００１０】
本発明によれば、マンションやアパートの場合のような極めて狭いスペース内に、フレキシブルガス管を接続したガスメータを設置するときであっても、ガスメータを適切に支持することができる、コンパクトな支持器具を提供することができる。また、その支持器具の設置方法を提供することができる。
【図面の簡単な説明】
【００１１】
【図１】本発明の支持器具の好適例を示す概略斜視図である。
【図２】本発明の支持器具の別の好適例を示す概略斜視図である。
【図３】本発明の支持器具の設置方法を説明するための概略斜視図である。
【図４】本発明の支持器具の設置方法を説明するための別の概略斜視図である。
【図５】本発明の支持器具の設置方法を説明するためのさらに別の概略斜視図である。
【図６】本発明の支持器具の設置方法を説明するためのさらに別の概略斜視図である。
【発明を実施するための形態】
【００１２】
本発明について説明する。
本発明は、フレキシブルガス管が接続されたガスメータを支持するためのガスメータ用支持器具であって、上流側接続管および下流側接続管を取り付ける取付板を固定可能なパイプ状の支柱と、中央部に貫通孔を有し、一方主面上に前記支柱の一方端部を密着させると嵌合するツメ部が形成されていて、設置面に他方主面が接するように配置する基板と、内部の内側に雌ネジが形成されている、前記設置面に埋め込んで用いる円筒状のアンカーと、前記アンカーにおける前記雌ネジと一方端部が螺合可能な雄ネジを備え、前記支柱よりも長手方向に長く、前記基板における前記貫通孔を貫通させて前記支柱の内部に配置して用いる全ネジと、前記全ネジと螺合して、前記基板を前記設置面へ押し付けて固定する第１ナットと、前記全ネジと螺合し、前記取付板および／または板状金具を介して、前記支柱を前記設置面へ押し付けて固定する第２ナットと、を有するガスメータ用支持器具である。
このようなガスメータ用支持器具を、以下では「本発明の支持器具」ともいう。
【００１３】
また、本発明は、フレキシブルガス管が接続されたガスメータを支持するためのガスメータ用支持器具の設置方法であって、内部の内側に雌ネジが形成されている円筒状のアンカーを、設置面に埋め込むアンカー埋設工程と、一方端部の雄ネジを、前記アンカーにおける前記雌ネジと螺合させて固定する全ネジ固定工程と、前記全ネジが基板の中央部に形成されている貫通孔を貫通した状態で第１ナットを螺合して、前記基板における他方主面を前記設置面へ押し付けて固定する第１ナット螺合工程と、前記全ネジが内部に存在し、かつ、前記基板における一方主面上に形成されているツメ部に一方端部を密着させてパイプ状の支柱を嵌合させる支柱設置工程と、板状金具および／または上流側接続管および下流側接続管を取り付ける取付板を介して、前記全ネジと第２ナットを螺合して、前記支柱を前記設置面へ押し付けて固定する第２ナット螺合工程と、を備えるガスメータ用支持器具の設置方法である。
このようなガスメータ用支持器具の設置方法を、以下では「本発明の設置方法」ともいう。
【００１４】
以下において、単に「本発明」と記した場合、本発明の支持器具および本発明の設置方法の両方を意味するものとする。
【００１５】
本発明の支持器具の好適例について、図を用いて説明する。
図１は本発明の支持器具の好適例の概略斜視図である。
図１において本発明の支持器具１は、上流側接続管および下流側接続管を取り付ける取付板３を固定可能なパイプ状の支柱５と、中央部に貫通孔７１を有し、一方主面上に支柱５の一方端部５１を密着させると嵌合するツメ部７３が形成されていて、設置面に他方主面が接するように配置する基板７と、内部の内側に雌ネジが形成されている、設置面に埋め込んで用いる円筒状のアンカー９と、アンカー９における雌ネジと一方端部が螺合可能な雄ネジを備え、支柱５よりも長手方向に長く、基板７における貫通孔７１を貫通させて支柱５の内部に配置して用いる全ネジ１１と、全ネジ１１と螺合して、基板７を設置面へ押し付けて固定する第１ナット１３と、全ネジ１１と螺合し、取付板３および板状金具１５を介して、支柱５を設置面へ押し付けて固定する第２ナット１７と、を有するガスメータ用支持器具である。
【００１６】
取付板３は、公知の上流側接続管および下流側接続管、好ましくは上流側接続管および下流側接続管を含むメーター廻りユニットを固定可能な貫通孔等を有する、例えば金属製の板である。例えば主面の大きさは１０ｃｍ×１０ｃｍであってよい。
【００１７】
支柱５はパイプ状であり、内部に全ネジ１１を貫通させることができる。支柱５は、例えば金属製であってよい。
また、支柱５として、図１では角パイプを記しているが、断面が円形や多角形のものであってよい。ただし、断面は多角形であることが好ましく、四角（すなわち図１に記した角パイプ）であることがより好ましい。
支柱５の長手方向の長さは１５０〜４５０ｍｍであることが好ましい。
【００１８】
基板７は、その中央部に貫通孔７１を有している。この貫通孔７１に全ネジ１１が貫通する。
また、基板７の一方主面上にツメ部７３が形成されている。支柱５の一方端部５１を密着させると一方端部５１とツメ部７３とが嵌合するので、第２ナット１７を全ネジ１１と螺合させることで支柱５を設置面へ押し付けて固定する際に、一方端部５１が基板７の一方主面上で滑ってしまうことを防止できる。よって、支柱５を設置面へ強固に固定できる。
基板７の主面の大きさは、例えば４×４ｃｍであってよい。このように極めてコンパクトな態様であっても、本発明の支持器具１は、ガスメータを強固に固定できる構造を備えている。
【００１９】
アンカー９は、内部の内側に雌ネジが形成されているものであり、例えば公知のアンカーを用いることができる。長手方向の長さは、例えば３ｃｍ程度であってよい。
壁や床などの設置面にドリル等で穴を開け、アンカー９を埋め込んで用いる。
【００２０】
全ネジ１１は、アンカー９における雌ネジと一方端部が螺合可能な雄ネジを備えている。そして、全ネジ１１の長さは支柱５に合わせて適宜調整されるが、支柱５の長手方向の長さよりも長い。
全ネジ１１は支柱５の内部に配置され、第１ナット１３と螺合し、基板７を貫通してアンカー９と螺合し、また、板状金具１５および板状金具３を貫通して第２ナット１７と螺合する。
【００２１】
第１ナット１３および第２ナット１７は全ネジ１１と螺合する態様であればよく、例えば従来公知のナットを用いることができる。
【００２２】
本発明の支持器具は、図１に示す態様のように、第２ナット１７を覆うキャップ１９を有していることが好ましい。
【００２３】
図１では第２ナット１７と支柱５との間に取付板３および板状金具１５が存在しており、第２ナット１７は全ネジ１１と螺合することで、取付板３および板状金具１５を介して、支柱５を設置面へ押し付けて固定している。一方で、支柱５と第２ナット１７との間に板状金具１５のみが存在しており、第２ナット１７は全ネジ１１と螺合することで、板状金具１５を介して、支柱５を設置面へ押し付けて固定してもよい。例えば図２に示すように、専用金具２１を用いて取付板３を支柱５の側面部に設置することもできる。
本発明の支持器具１は、マンションやアパートの場合のような極めて狭いスペース内にフレキシブルガス管を接続したガスメータを設置するときに用いる支持器具であり、ガスメータの配置等を考慮して、図１に示した態様や、図２に示した態様を使い分けることができる。
【００２４】
図１および図２に示したような本発明の支持器具１は非常にコンパクトであり、マンションやアパートの場合のような、極めて狭いスペース内にフレキシブルガス管を接続したガスメータを設置するときであっても、ガスメータを強固に固定できる構造を備えている。
【００２５】
次に、本発明の設置方法について、図を用いて説明する。
ただし、以下に説明する本発明の設置方法は好適例であり、作業の順番は適宜変更してもよく、その場合であっても、本発明の範囲内である。
【００２６】
本発明の設置方法では、初めに、壁や床などの設置面にドリル等で穴を開け、アンカー９を埋め込む（アンカー埋設工程）。
【００２７】
次に、全ネジ１１における一方端部の雄ネジを、アンカー９における雌ネジと螺合させて固定する（全ネジ固定工程）。
ここで、予め、全ネジ１１を基板７の貫通孔７１へ貫通させた後に、全ネジ１１における一方端部の雄ネジを、アンカー９における雌ネジと螺合させてもよい。
また、同様に、予め、第１ナット１３を貫通（螺合）させた後に、全ネジ１１における一方端部の雄ネジを、アンカー９における雌ネジと螺合させてもよい。
【００２８】
次に、全ネジ１１が基板７の中央部に形成されている貫通孔７１を貫通した状態で第１ナット１３を螺合して、基板７における他方主面を設置面へ押し付けて固定する（第１ナット螺合工程、図３）。
【００２９】
次に、全ネジ１１が内部に存在し、かつ、基板７における一方主面上に形成されているツメ部７３に一方端部を密着させてパイプ状の支柱５を嵌合させる（支柱設置工程、図４）。
【００３０】
次に、板状金具１５および取付板３を介して、全ネジ１１と第２ナット１７を螺合して、支柱５を設置面へ押し付けて固定する（第２ナット螺合工程、図５）。
【００３１】
そして、取付板３に、上流側接続管３２および下流側接続管３４を固定する（図６）。なお、図６においては好ましい態様として、上流側接続管３２および下流側接続管３４を含むメーター廻りユニット３０を固定した態様を記す。
【００３２】
上流側接続管３２および下流側接続管３４、いずれも逆Ｕ字状をなしており、左右方向へ互いに離間している。そして、上流側接続管３２の下流側の端部３２１には、ガスメータのガス導入口が接続ナットによって接続固定され、下流側接続管３４の上流側の端部３４１には、ガスメータのガス導出口が接続ナットによって接続固定される。これによってガスメータとメーター廻りユニット３０が結合し、ガスメータが本発明の支持器具１によって固定される。
【００３３】
上流側接続管３２の上流側の端部３２３には、フレキシブルガス管からなる一次側ガス管の下流側の端部が周知の継手を介して接続される。一次側ガス管の上流側の端部は、元栓に接続される。したがって、元栓を開弁すると、ガスが一次側ガス管および上流側接続管３２を介してガスメータに流入する。
下流側接続管３４の下流側の端部３４３には、フレキシブルガス管からなる二次側ガス管の上流側の端部が継手を介して接続される。二次側ガス管の下流側の端部は、ガス機器に接続される。したがって、ガスメータに流入したガスは、ガスメータにおいて流量が計測された後、下流側接続管３４および二次側ガス管を介してガス機器に供給される。
【００３４】
このような方法で設置する本発明の支持器具１は、ガスメータを強固に固定できる構造を備えている。本発明の支持器具１は、非常にコンパクトであり、マンションやアパートの場合のような、極めて狭いスペース内にフレキシブルガス管を接続したガスメータを設置するときに適している。
【符号の説明】
【００３５】
１      本発明の支持器具
３      取付板
５      支柱
５１    支柱の一方端部
７      基板
７１    貫通孔
７３    ツメ部
９      アンカー
１１    全ネジ
１３    第１ナット
１５    板状金具
１７    第２ナット
２１    専用金具
３０    メーター廻りユニット
３２    上流側接続管
３２１  上流側接続管の下流側の端部
３２３  上流側接続管の上流側の端部
３４    下流側接続管
３４１  下流側接続管の上流側の端部
３４３  下流側接続管の下流側の端部
【要約】
【課題】マンションやアパートの場合のような、極めて狭いスペース内にフレキシブルガス管を接続したガスメータを設置するときであっても、ガスメータを適切に支持することができる、コンパクトな支持器具の提供。
【解決手段】フレキシブルガス管が接続されたガスメータを支持するためのガスメータ用支持器具であって、上流側接続管および下流側接続管を取り付ける取付板を固定可能なパイプ状の支柱と、中央部に貫通孔を有し、一方主面上に前記支柱の一方端部を密着させると嵌合するツメ部が形成されていて、設置面に他方主面が接するように配置する基板と、内部の内側に雌ネジが形成されている、前記設置面に埋め込んで用いる円筒状のアンカーと、前記アンカーにおける前記雌ネジと一方端部が螺合可能な雄ネジを備え、前記支柱よりも長手方向に長く、前記基板における前記貫通孔を貫通させて前記支柱の内部に配置して用いる全ネジと、前記全ネジと螺合して、前記基板を前記設置面へ押し付けて固定する第１ナットと、前記全ネジと螺合し、前記取付板および／または板状金具を介して、前記支柱を前記設置面へ押し付けて固定する第２ナットと、を有するガスメータ用支持器具。
【選択図】図１【図１】
0005646107.tif 000002
【図２】
0005646107.tif 000003
【図３】
0005646107.tif 000004
【図４】
0005646107.tif 000005
【図５】
0005646107.tif 000006
【図６】
0005646107.tif 000007